(57)【特許請求の範囲】
【請求項１】
遊戯者が手動で発電に必要な手動動作を実行するための操作部と、
前記操作部に機械的に連結された発電手段と、
前記発電手段で発電された電力を蓄積する蓄電手段と、
予め定められた一連の遊戯処理を、前記蓄電手段に蓄積された電力を使用して実行する遊戯実行手段と、
遊戯結果に応じた物品を払い出す払い出し手段と、
を備えており、
前記蓄電手段に蓄積される電力として、前記遊戯実行手段を駆動するための電力及び前記一連の遊戯処理の実行に必要な電力に基づいて目標値が設定されており、
前記遊戯実行手段は、前記蓄電手段に蓄電された電力が前記目標値を上回った場合に、前記一連の遊戯処理の全てを実行するとともに、設定された待機時間内に前記操作部の手動操作があるか否かを判断し、
前記払い出し手段は、前記遊戯実行手段により前記設定された待機時間内に手動操作があったと判断された場合には該手動操作によって該発電手段が発電する電力を利用して作動し、前記遊戯実行手段により前記設定された待機時間内に手動操作がないと判断された場合には、該蓄電手段に蓄積された電力のみを使用して作動するものである、
ことを特徴とする遊戯機。
【請求項２】
前記遊戯実行手段を含む遊戯機本体と、前記一連の遊戯処理のプログラムを記憶する記憶手段及び該一連の遊戯処理が実行されたことにより表示を行う表示手段が搭載された単独ユニットと、を有しており、
前記単独ユニットが、前記遊戯機本体に装着されかつ前記遊戯実行手段に電気的に接続可能に構成されてなる、
請求項１記載の遊戯機。
【請求項３】
前記遊戯機本体は、開閉可能な光透過性の前面カバーが設けられたものであり、
前記単独ユニットは、前記前面カバーを開けて前記遊戯機本体に着脱自在に装着されるものである、
請求項２記載の遊戯機。
【発明の詳細な説明】
【０００１】
【発明の属する技術分野】
本発明は、必要な電力の全部または大部分を機体内の発電機構により賄う発電式の遊戯機に関し、とくに、ハンドルなどの操作部を操作することにより発電し、その電力を蓄えておいて一定時間の間その電力を利用して所望の電気的、機械的動作を行わせる遊戯機に関する。
【０００２】
この遊戯機の範疇には、業務用、家庭用を問わず、操作部の操作に付勢されて物品や商品を払い出す（排出する）玩具や自販機、コインなどを投入してゲームをするとともにゲーム結果に応じ且つはずれなしで景品を払い出す景品自販機、コインなどを投入してゲームをするとともにゲーム結果に応じた量（はずれあり）の景品を払い出すゲーム機などが含まれる。
【０００３】
【従来の技術】
この種の遊戯機は、とくに子供向けの装置として１つの分野を形成しており、物品を手動で払い出すタイプがその原形を成している。店頭などでよく見かける、カプセルに入った玩具を販売する玩具自販機もその１つである。
【０００４】
この玩具自販機は、カプセルに入った玩具を透明ケースに収納した収納部を有している。購買者は、コインを自販機に投入し、自販機の前面または側面についているレバーやハンドルといった操作部を回転させることで、自販機のカプセル収納部から取出し口まで払い出されたカプセル（景品）を取り出すことができる。
【０００５】
しかし、この手動式の玩具自販機の場合、視覚性や操作性の点で劣る。昨今の様々な電気回路による視覚効果に慣れている子供たちにとって、手動式の玩具自販機が視覚面から訴える効果は低い。また、レバーやハンドルは一定値以上の力で操作する必要があるため、幼児などは操作に困ることもある。さらに、手動式の玩具自販機は電源が不要であるからどこにでも設置できるという手軽さはあるが、視覚効果に乏しいため、子供などを引き付けるためには明るい場所に設置する必要があるなどの制限もある。
【０００６】
そこで、これらの問題を解消するため、発電式の遊戯機を構成する装置が例えば特開平９─９９１７１号公報（発明の名称は「物品排出装置」）が提案されている。この公報記載の装置は例えばゲーム機として実施できるるもので、操作者がハンドルを操作すると発電機が動作し、その発電電力が充電部としてのコンデンサに蓄えられる。この電力により制御回路が動作し、ギヤボックス内のソレノイドをオンオフ制御してロータや滑車の駆動を制御する一方で、ゲーム結果の判断、表示用ランプなどの点滅、スピーカからの音声発生といった動作を制御する。この装置では、カプセル（景品）を排出する段になると、カプセル排出用のロータを回転可能状態にし、表示用ランプを点灯し、さらに排出操作用のハンドルを回すことを促す音声メッセージを発生させ、カプセルの排出を容易化しようとしている。
【０００７】
【発明が解決しようとする課題】
しかしながら、上述した公報記載の装置は、カプセル（景品）を排出するときに、ロータの回転可能状態への移行を電気的にアシストし且つ表示、音声の面でもカプセル排出を促して操作し易くする環境を提供するに止まっており、カプセル払い出しの点では半手動式の域を出ない。
【０００８】
このため、従来の場合、実際にハンドルを回して最終的にカプセル排出を行うかどうかは、遊戯者の意思にかかっている。このようなゲーム機は子供向けではあるが、とくに幼児などはハンドルを回すことを理解できなったり、また理解できたとしても回し忘れて、カプセル（景品）を正しく払い出しできないということがあった。
【０００９】
また、上述したゲーム機に代表される物品排出装置の場合、充電部としてのコンデンサに蓄えられた電荷が電源としてどの位までもつかについては格段の考慮は払われていない。このため、音声や表示によりカプセル排出を促したとしても、実際にハンドル操作までに時間が掛かり過ぎると、その途中で電源が足りなくなり、ソレノイドのオンの維持、すなわちロータの回転可能状態の維持ができなくなったり、カプセル排出時の個数カウントができなくなる。したがって、カプセル排出の正確な動作を常に確保できるという保証が無く、排出動作が不安定であり、信頼性に劣っていた。
【００１０】
よって、本発明は、このような従来の発電式の遊戯機が抱える現状を打破するためになされたもので、発電式であることのメリットは活かしつつも、操作部への操作により発電した所定値電力の範囲内で必要な動作を賄うように動作管理して、景品などの物品の払い出しを自動的に行うことができ、動作の安定した信頼性の高い、幼児などにも操作し易い遊戯機を提供することを目的とする。
【００１１】
ところで、複数種類のゲームを１台の遊戯機の筐体で選択的に実行できるようになれば非常に面白く、また筐体の汎用性も高まるでの、これを実現することを、本発明の別の目的とする。
【００１２】
また、同様に、１台の遊戯機の筐体をゲーム機としても、また自販機としても利用できれば非常に面白く、また筐体の汎用性や市場のニーズに対する即応性も高まるでの、これを実現することを、本発明のさらに別の目的とする。
【００１３】
【課題を解決するための手段】
上記目的を達成するため、第１の本発明によれば、手動で発電可能な発電手段と、この発電手段を手動操作して目標値まで発電した電力を蓄積する蓄電手段と、この蓄電手段に蓄電された電力を使って予め定めたシーケンス処理の全部を自動的に実行する実行手段とを備えたことを特徴とする遊戯機が提供される。
【００１４】
好適には、前記実行手段は、遊戯結果に応じた物品を遊戯者からの応答を考慮して払い出す払い出し手段と、この払い出し手段の動作開始までの待機処理に一定の時間制限を設けるタイマ手段と、この一定の時間制限に達したときには、前記待機処理を打ち切って次の処理に進む処理手段とを備える。例えば、前記実行手段は、遊戯者の判断に伴う遊戯者からの応答を待つ処理を行う待機手段、この待機処理の時間幅に一定の時間制限を設けるタイマ手段と、この一定の時間制限に達したときには、前記待機処理を打ち切って次の処理に進む処理手段とを備える。
【００１５】
また好適な別の例では、前記発電手段は、遊戯者が発電に必要な手動動作を実行するための操作部と、この操作部に機械的に連結した発電機とを備える。
【００１６】
第２の本発明によれば、遊戯者が発電のための操作を行うための操作部と、この操作部に機械的に連結した発電機と、遊戯者が前記操作部を操作して前記発電機に目標値まで発電させた電力を蓄積するコンデンサと、このコンデンサに蓄電された電力を使って遊戯者との間で所定のゲームを行わせる処理と、そのゲーム結果に伴う景品の払い出しを遊戯者からの応答を考慮して行う処理と、その景品の払い出し処理の開始に一定の時間制限を設けて時間管理する処理とを含むシーケンスの全部を自動的に指令するＣＰＵとを備えたことを特徴とする遊戯機が提供される。
【００１７】
好適には、前記ＣＰＵが指令するシーケンスは、前記ゲームに関する遊戯者からの応答を待つ処理と、この待機処理の時間幅に一定の時間制限を設けて時間管理する処理とを含む。この場合、例えば、前記遊戯者が前記操作部を手動操作することに伴って上昇する前記コンデンサの充電電圧の推移を表す表示ＬＥＤを設けることができる。また例えば、前記操作部は、前記発電機の回転軸にギヤを介して結合した回転操作形のハンドルである。さらに例えば、前記コンデンサは、２個のコンデンサ素子を直列に接続した構造である。
【００１８】
さらに、第３の本発明は、ＣＰＵと、このＣＰＵが実行するプログラムデータを格納したＲＯＭと、前記ＣＰＵにより前記プログラムデータが処理されたことにより表示を行う表示素子とを備えた遊戯機において、前記ＲＯＭと表示素子とを搭載した単独ユニットを構成し、このユニットを遊戯機本体に着脱自在に装着しかつ前記ＣＰＵに電気的に接続可能にしたことを特徴とする。一例として、前記ユニットは、前記遊戯機本体の光透過性の前面カバーを開けて着脱自在に装着する構造であることが望ましい。
【００１９】
さらに、第４の本発明によれば、複数種類のゲームモードを各別に実行可能な遊戯機において、前記複数種類のゲームモードを手動で選択的に切換え指令する手段を備えたことを特徴とする。好適には、前記ゲームモードの切換え指令に伴って切り換えられた方のゲームモードを認識させる表示を行う手段を備える。
【００２０】
【発明の実施の形態】
以下、本発明の実施形態を、添付図面を参照しながら説明する。
【００２１】
（第１の実施形態）
第１の実施形態に係る遊戯機を、図１〜図１８を参照して説明する。この実施形態の遊戯機は、ゲーム結果に応じて景品（商品）を払い出す方式のルーレット自販機として実施されている。しかも、この自販機は、遊戯者の協力を得て自己発電される電力で必要な電力を賄う「発電方式」で、外部電源は自販機本来の動作を実行する上では一切必要としないユニークな構造であるとともに、景品の払い出しまでを一貫して自動的に行える「自動方式」を採用している。
【００２２】
図１に、このルーレット自販機１の概観を斜視図として示す。このルーレット自販機１は、２段ボックス状の筐体１１をキャスタ付きの支柱体１０で支持する構造を有する。筐体１１は下側ハウジング１１Ｌと上側ハウジング１１Ｕとを一体または一体的に形成して成る。
【００２３】
上側ハウジング１１Ｕの前面には透明なフロントカバー１２が開閉自在に装着され、このフロントカバー１２の内側にゲームユニット１３が図２に示す如く着脱自在に装着される。つまり、ゲームユニット１３の下側には差込用のユニット側コネクタ１４ａが突設されており、このユニット側コネクタ１４ａが本体側コネクタ１４ｂに着脱自在に差し込まれる。本体側コネクタ１４ｂは後述するように自販機の電気系を成す制御回路本体に接続されている。この制御回路は、このゲームユニット１３を装着してその全体が完成するものである。
【００２４】
ゲームユニット１３は後述するように、ルーレットのゲームプログラムデータをコンピュータ言語で書込んだＲＯＭ、ルーレットゲームの数字表示を行う７セグ基板、装飾用表示を行うＬＥＤ基板などを一体に備えた着脱かつ交換可能な単体ユニットとして形成されている。このゲームユニット１３の外側表面、つまり遊戯者に対向する面にはＬＥＤや７セグを外側に覗かせて配置しているほか、その表示窓の外側周囲にはユニット固有の装飾が施されて表示盤面を成している。つまり、ゲームユニット１３が自販機１の表示パネル部分をも兼ねた構造になっている。このため、ゲームユニット１３のコネクタ１４ａを本体側コネクタ１４ｂに差し込むだけで、ルーレット自販機としての表示盤面が完成する。
【００２５】
ゲーム内容が互いに異なるゲームユニットの表示盤面の概観例のいくつかを図３〜図６に示す。本実施形態のルーレット自販機１で採用する表示盤面は図３またはこれに類する概観形状、表示構造、絵柄を有するものである。このように予め複数種類のゲームユニットを用意しておくことにより、同一の自販機であっても、ゲームユニットを交換するだけで別内容の自販機またはゲーム機に容易に変身させることができる。また自販機本体の共通化、汎用化を図ることができる。
【００２６】
このゲームユニットは、それぞれ固有のゲームプログラムが記憶された、記録媒体としてのプログラムカートリッジであるとともに、その前面に固有の図柄に合わせたＬＥＤ、或いは液晶等の表示手段を備えるものである。固有のゲームプログラムはゲームの進行に合わせて、それぞれの固有の手順によりＬＥＤを点灯させ、或いは液晶を表示させる。このように、ゲームカートリッジ自体に表示手段を設けることにより、プログラムカートリッジの表面の絵柄に合わせて表示手段を動作させることが可能となる。
【００２７】
上側ハウジング１１Ｕの内部には、その表示部の裏側に位置して、一部透明になった景品収納ケース部１７が配置してある。このケース部１７にゲーム結果に応じて払い出される景品や商品としての、玩具入りのカプセル１８が複数個収納されている。
【００２８】
これに対し、下側ハウジング１１Ｌには、その前面上部の斜めになっているテーパ面（操作面）と、その下に連なる真っ直ぐのフロント面とが形成されている。このテーパ面とフロント面が遊戯者に対するアクセス盤面となっている。テーパ面には、コイン投入口２１、発電させるために遊戯者が操作する操作部としてのハンドル２２、遊戯者がルーレットゲームにアタックするアタックボタン（ストップボタン）２３、ゲームの残りチャンス回数表示のＬＥＤ２４などが設けられている。フロント面にはコイン返却口２７、景品払い出し口２８などが設けられている。
【００２９】
この下側ハウジング１１Ｌの内部および上側ハウジング１１Ｕの内部には、ハンドル２２を回転させることによる発電する機構、この発電電力を充電しておく機構、その充電電力を用いたゲームのための信号処理・制御の機構、その信号処理・制御に応答して駆動する表示、ブザー吹鳴、サウンド発生、および景品払い出しの機構が少なくとも搭載されている。
【００３０】
図７に示す如く、ハンドル２２はギヤボックス３１を介して発電機３２に結合されている。ハンドル２２はＡ方向およびＡ'方向の両方向に連続回転可能になっている。このハンドル回転はギヤボックス３１内のギヤ機構に伝えられ、ギヤ比によって回転数の変換が行われるとともに、ハンドル回転がＡ方向およびＡ'方向のいずれであっても、ギヤボックス３１の出力軸の回転方向は一方向に変換される。この出力軸のギヤは発電機３２の回転軸のギヤに噛合しているので、ハンドル２２の回転は発電機３２に伝えられる。
【００３１】
発電機３２は直流発電機で構成されるので、ハンドル２２の回転に伴う回転子の回転によって固定子側に直流電力を発生させる。ここでは、発電機３２に伝達される回転力の方向はギヤボックス３１の方向変換機能によって、ハンドル回転とは無関係に一定方向に揃えられているので、発電機３２が発電する直流電力の極性は常に一定である。このため、この発電電力を処理する電源回路における整流作用は基本的には不要となる。
【００３２】
発電機３２の出力リード線は回路ボード３３に接続されている。回路ボード３３には後述する電源回路および信号処理・制御の電気回路が実装されている。この電気回路には、発電機３２の発電電力を充電する充電部としての２個のコンデンサ３４ａ、３４ｂと、信号処理および制御用のＣＰＵ（ここではそのインターフェース回路も含む）３５とを含む各種の電気パーツが含まれる。この回路ボード３３にはまた、前述したゲームボード実装用の本体側コネクタ１４ｂも実装されている。
【００３３】
この回路ボード３３は電気的には、さらに各種のスイッチ、センサ類、ＬＥＤ、７セグ、景品排出用や釣り銭戻し、あるいは本体内にあるコインボックスへのコイン戻し用のモータ、景品払い出し用のモータなどに接続されている。これらの素子自体は従来周知の構造、構成であり、周知の方法で上側、下側ハウジング１１Ｕ，１１Ｌ内に装備されている。
【００３４】
図８に、この自販機の電気系回路の機能的概要を示す。同図に示す如く、発電機３２の発電出力端は、経路切り換え用の切り替えスイッチ回路４１、ダイオード回路４２を介して充電回路４３に至る。切り替えスイッチ回路４１は発電電力を充電回路４３または後述する景品払い出し用モータに送るかを切り換える回路で、ＣＰＵ３５により制御される。ダイオード回路４２は、充電回路４３から発電機３２への電流の逆流を防止するために挿入されている。
【００３５】
充電回路４３は、発電機３２で発電された電力を電荷として一時蓄える機能を有する回路であり、この電荷蓄えの手段として、前述したコンデンサ３４ａ，３４ｂを直列接続したコンデンサ素子列を備える。コンデンサ２個を直列に接続して充電回路に用いる理由は、コンデンサ素子列全体の静電容量を小さくして、目標充電電圧までの充電時間を短縮させることにある。
【００３６】
充電回路４３の出力端は、ＤＣ-ＤＣコンバータからなる安定化回路４４を介して前述したＣＰＵ３５に至る一方で、安定化回路４４の出力端は電力供給を必要とする各種のセンサ、モータ、ソレノイドなどの負荷に接続されている。
【００３７】
ＣＰＵ３５は、充電回路４３からの供給電圧（すなわち、コンデンサ素子列の端子電圧）が所定値に達すると自動的にその処理を開始する。この処理は、コンピュータプログラムとして、ゲームユニット１３に設置されかつゲームユニット１３のコネクタ１４ｂへの差込によって接続されるＲＯＭ４５に予め格納されている。このＣＰＵ３５の処理の特徴は、そのタイマ機能を中心とする時間管理に特徴があり、限られた充電電力内で所定の一連の制御が完了するように種々の工夫がなされている。この時間管理の特徴は、その基本原理および詳細な一例を示す後述のフローチャートの中で説明する。
【００３８】
ＣＰＵ３５の信号入力要素群には、コインの投入を検知するコイン投入スイッチ５１、前述したアタックボタン（ストップボタン）２３、景品としてのカプセルの排出を検知する排出センサ５２、ハンドルが操作されたかどうかを表す信号を充電回路４３の端子電圧から検知するスイッチング回路５４が含まれる。また、ＣＰＵ３５には、音声メッセージ（効果音）のデータをそのパターン毎に予め記憶している音声ＩＣ５５が接続されている。このため、ＣＰＵ３５は必要に応じて、音声メッセージデータをパターン毎に読み出し、これをスピーカ６３に与え、スピーカから所望の音声メッセージを発生させる。
【００３９】
一方、信号出力要素群には、７セグ群６１、ＬＥＤ表示群６２、音声メッセージを発するスピーカ６３、時間管理のための警告音（催促音）などを発生する圧電ブザー６４、ソレノイド６５、カプセル排出用のモータ６６、釣り銭戻し用のコインモータ６７が含まれる。
【００４０】
この内、図９に例示するように（同図は表示盤面における電気素子の配置の一例を示す）、７セグ群６１はそれを形成する３個の７セグＦ１〜Ｆ３全部が、またＬＥＤ表示群６２はそれを形成する一部のＬＥＤａ，ｂ（ハンドル操作を教示するＬＥＤ“ａ”と、アタックボタンの押しを教示するＬＥＤ“ｂ”：これらのＬＥＤは下側ハウジングの前面の操作面に配置されている。）を除く大部分のＬＥＤ：Ａ（充電レベル表示用），Ｂ（チャンス回数表示用），Ｃ（装飾用の外周ルーレット），Ｄ１〜Ｄ３（アタック表示用），Ｅ１〜Ｅ３（内周ルーレット）が前述したゲームユニット１３に装着されている。
【００４１】
ここで、本願発明の基礎的概念を本実施形態の自販機を通して説明する。この自販機は、手動操作による発電をいかに少ない電気量（すなわち、いかに少ない発電量（時間））に抑え、その電気量の範囲内で景品払い出しまでの処理を自動的に実行するか、を念頭に開発されたものである。そのためには、ゲームプログラムの処理に必要な総電気量と充電目標値の算出法の確立が必須である。
【００４２】
いま、図１０のフローチャートに示す処理があると仮定する。この処理の流れは、上述したハード構成によって実行できる、ソフトウエアタイマによる時間管理の概念を中心に記載したものである。
【００４３】
同図に示すように、充電開始（ステップ）Ａ）、充電完了（ステップＢ）、メッセージ音声「アタックボタンを押してね」の発生（ステップＣ１）の後、アタックボタンを押したかどうかで所定時間（１０秒）待機する（ステップＣ２）。アタックボタンを押した場合、または、１０秒経過した場合のいずれかで、ルーレットを停止させる（ステップＤ）。さらに、ハンドルを回したかどうかで再び所定時間（５秒）待機する（ステップＥ）。ハンドルを回した場合、または、５秒経過した場合のいずれかで、景品を排出し（ステップＦ）、排出完了の音声メッセージ（ありがとう…）を発生させる（ステップＧ）。
【００４４】
このようにステップＣ２およびＥの処理に制限時間（タイマ）を設けることが肝要で、この時間管理により必要電気量が決まり、目標充電電圧を決定することができる。この処理に基づく、ＬＥＤ、音声ＩＣ、圧電ブザー、マイコン（ＣＰＵ）、モータ、ソレノイドなどの電気パーツによる必要電気量を例えば７５００ｍＡｓ＝７．５Ｑと算出できたとする。この必要電気量に相当する必要ｍＡｈ値は２．０８ｍＡｈである。
【００４５】
次いで、発電機の発電電力をコンデンサに充電する前提で、その目標充電電圧を算出する。コンデンサの静電容量を５．０Ｆ（ファラド）とすると、Ｑ：電荷（電気量）、Ｃ：コンデンサ静電容量、Ｖ：放電電圧幅の間の関係式Ｖ＝Ｑ／Ｃから、
Ｖ＝７．５／５．０＝１．５（Ｖ）
となる。このため、例えば回路の駆動電圧が最低３．０（Ｖ）であるとすると、目標充電電圧は
３．０＋１．５＝４．５（Ｖ）
となる。この電圧値は最低限の充電目標値であり、実際には予備電力分やコンデンサの劣化に因る容量低下などを考慮し、これよりも数％高めの電圧値４．５＋α（Ｖ）を目標充電電圧として設定する。
【００４６】
この一例に対する残量電気量（ｍＡｈ）の変化のシミュレーション例を図１１に示す。同図のシミュレーションは、アタックボタンの押しに対する待機時間を１０秒とし、景品排出待機時間を５秒（すなわち５秒経過しても、遊戯者が排出操作を行わないので、自動的に強制排出する）としたものである。目標充電電圧まで充電された後、時間待機を含むルーレットゲーム実行に関わる処理や景品排出（強制排出）を行うと、排出完了時には予め設定した余裕残量値となる。このため、遊戯者にハンドルを回転して、一度、目標充電電圧４．５＋α（Ｖ）まで充電してもらうと、この充電電力は各電気パーツの消費電力は勿論のこと、ルーレットゲームおよびそのゲーム結果に伴う景品排出までの処理に必要な電力を全て賄うことができる。
【００４７】
そこで、この発明原理に基づく、ＣＰＵ３５の詳細な処理の一例を図１２〜１８のフローチャートに示す。
【００４８】
つまり、遊戯者がハンドルを回転させることで、コンデンサ３４ａ，３４ｂへの充電電圧は徐々に上昇していく。この充電電圧が例えば２．５Ｖに達するとＣＰＵ３５の起動する。図９で示したハンドルＬＥＤ：ａを点滅させ、外周ＬＥＤ：Ｃを順送りで点灯させる。充電電圧が４．５Ｖに達すると、ハンドルＬＥＤ：ａをオフにし、コイン投入スイッチ５１の検知信号を確認してコイン有り（コイン投入を判断する。ここで、コイン無しの場合、そのままデモンストレーションモードの処理を行う。このデモンストレーションモードは適宜な音声やＬＥＤ、７セグの点滅などの処理を行うモードである。このデモンストレーションモードは充電電圧が２．５Ｖ以下になるまで続けられる。
【００４９】
コイン有りの場合、ここからがルーレットゲーム開始となり、ＬＥＤや音声メッセージ、効果音などのルーレットゲームに必要な処理を図示の如く行っていく。この処理の中で、とくに、本発明の時間管理に対応する処理は
ステップＳＳ１、ＳＳ２（図１３）
ステップＳＳ３（図１５）
ステップＳＳ４（図１６）
ステップＳＳ５、ＳＳ６（図１７）および
ステップＳＳ７（図１８）
の処理である。この内、ステップＳＳ１〜ＳＳ４までの処理は遊戯者がアタックボタン（ステップボタン）２３を押すのを所定時間待っているもので、ステップＳＳ１，ＳＳ２で合計、６秒間待機している。この間待機していても遊戯者がアタックボタン２３を押さないときは、強制的に「ゲーム外れ」の処理を行い、自動的に排出モータ６６に充電回路４３から電力を供給し、景品を１個払い出す。ステップＳＳ３、ＳＳ４でも同様の待機を、次の７セグ、さらに次の７セグに対して行う。
【００５０】
そして、ルーレットゲームの結果が「７７７」になると、ステップＳＳ５で５秒間、ステップＳＳ６で３秒間、合計８秒間の間、ＬＥＤの点灯やブザーによる警告音発生を行いながら、景品（商品）排出のためにハンドル２２が操作されるかどうか判断しながら待機する。少なくともこの待機中にハンドル２２が回転操作された場合、ＣＰＵ３５はスイッチング回路４１に制御信号を送り、発電機３２の出力経路を直接、排出モータ６６側に切り換える。この間もＣＰＵ３５は充電電力によりその作動は保証されている。このため、ハンドル２２が操作された場合、発電機３２の発電電力を利用して直接、排出モータ６６を駆動し、２個の景品が排出される（図１７、ステップＳＴ１，ＳＴ２）。これにより、充電電力の消費を節約できる。
【００５１】
これに対して、ハンドル２２が時間内に回転されなかった場合でも、全く同数の景品排出が行われる。ただし、この場合は、充電回路４３の充電電力を排出モータ６６に供給して実行される（図１７、ステップＳＴ３〜ＳＴ５）。当初より、ハンドル２２が制限時間までは回転操作されないという条件で充電電力の目標値および待機時間のソフトウエア管理を行っているので、ハンドル操作が遊戯者によって実施されない場合でも、景品は全く問題無く、自動的に払い出される。このため、幼児のようにハンドルを回せないような場合でも、また回し忘れがあった場合でも、確実に景品の払い出しを行うことができる。
【００５２】
この景品払い出し処理においてハンドル操作を遊戯者に要求する理由は、あくまでゲーム性を高めるための演出効果を狙ったものである。
【００５３】
ルーレットゲームに外れた場合でも景品を払い出すようになっており、同様にハンドル操作を要求しながら、所定時間待機し（ステップＳＳ７，図１８）、同様に排出モータへの２通りの電力供給の内のいずれかの方法で景品払い出しを行う（ステップＳＴ７，ＳＴ８、または、ステップＳＴ９〜ＳＴ１１、図１８）。
【００５４】
このようにして、発電式であることのメリットは活かしつつ、ハンドル回転操作により発電した目標充電電力の範囲内でルーレットゲームに必要な動作を賄うように時間管理して、景品の払い出しを自動的に行うことができ、動作の安定した信頼性の高い、幼児などにも操作し易い自販機を提供することができる。
【００５５】
とくに、最後の景品払い出しまで完全に自動化しながらも、表面上、景品払い出しには手動操作を要求して遊戯者にゲーム感覚を失わせることがなく、ゲーム性も十分に確保したものとなっている。
【００５６】
また、同一の自販機筐体を用いながらも、ゲームユニットを交換できるので、ゲーム盤面表示のみならず、ゲーム内容の別のものに容易にいつでも変更できる。これは従来にはない全く新規な機構である。これにより、自販機の筐体を汎用化、共通化でき、製造コスト面でも、運用コスト面でも低減化を図ることができる。
【００５７】
なお、上述したゲームユニットの着脱機構を実施しないで、予め固有のゲーム内容ＲＯＭを搭載した自販機なども当然に可能である。
【００５８】
ところで、上述した実施形態に係る自販機の別の例として、図１９〜図２４に示す概観を呈するルーレットゲーム式自販機も提供できる。図１９はその自販機の正面図、図２０はその左側面図、図２１はその右側面図、図２２(1)はその平面図、（２）は底面図、図２３はその底面図、図２４はその背面図である。この自販機の構成および動作は上述したものと同一または同等である。
【００５９】
（第２の実施形態）
本発明の第２の実施形態に係る遊戯機を図２５〜２６に基づき説明する。この遊戯機は同一の筐体を用いながらも、自販機とゲーム機とを自由に切換え可能にした機構に関する。なお、通常、自販機はゲーム結果自体が外れであっても、必ず景品を払い出す、言わば「外れなし」の性格を有する装置、一方、ゲーム機はゲーム結果如何によっては「外れあり（景品なし）」の性格を有する装置として区別される。
【００６０】
この切換えを実現するため、図２５に示すように、例えば自販機８１の前面カバー８２を開けると、手動切換え器８３にアクセスできるようにする。自販機８１は予め自販機モードとゲーム機モードの別に２種類のゲームボード（図示せず）を搭載しており、自販機モードのゲームボードのプログラムが起動したときには自販機として、またゲーム機モードのゲームボードのプログラムが起動したときにはゲーム機としてそれぞれ作動するようになっている。このゲームボードの選択を手動切換え器８３に行わせる。利用者が手動切換え器８３のレバー８３ａを手動操作すると、自販機モードおよびゲーム機モードのいずれかに切り換えできる。
【００６１】
この手動切換え器８３はまた、小さな表示盤面８３ｂを備えており、レバー８３ａを操作する度に、図２６（ａ）または（ｂ）に示す如く、ゲーム機モードまたは自販機モードを表す盤面に切り換わる。この表示盤面８３ｂは前面カバー８２に設けた窓８２ａを通して外部からも視認できるようになっている。
【００６２】
このため、レバー８３ａを切り換えるだけで、いつでも、この自販機８１をゲーム機に、またその反対にゲーム機から自販機に戻すことができる。
【００６３】
この結果、このマシンを設置する現地で容易にゲーム機または自販機に切り換えることができ、市場のニーズやその変化に対応する能力が非常に高められる。その切換えは非常に簡単で、一般ユーザが簡単に行うことができ、運用面、保守面でも優れたものになる。さらに、ゲーム機なのか自販機なのかは、窓８２ａから見える表示で区別することができ、遊戯者に無用な混乱を生じさせることもない。
【００６４】
（第３の実施形態）
本発明の第３の実施形態に係る遊戯機を図２７に基づき説明する。この遊戯機は、ゲームや各種処理の各段階の状況を後から追跡できるように記録保持しておく機構に関する。
【００６５】
図２７に示す遊戯機の回路ボード３３のＣＰＵ３５には、リードライト回路９１を介してメモリ９２を接続している。メモリ９２としては、電源が落ちても記憶データ消去されないフラッシュメモリ、Ｅ2ＰＲＯＭが好適である。また場合によっては、このメモリの記憶データ保持だけの目的でボタン電池などを内蔵させることも可能である。リードライト回路９１は、ＣＰＵ３５が実行しているゲームや各種処理の各段階の状況を表すデータをメモリ９２に書き換え記録する。この記録情報としては、コインは投入されていたか否か、ゲームに勝っていたか否か、景品は払い出したか否か、などの情報である。
【００６６】
この結果、例えば何らかの機械的トラブルなどでゲーム中に充電電源が無くなってしまったような場合、再発電し、かかる記録情報をチェックするチェックモードをスイッチ９３で指令する。これにより、ＣＰＵ３５はその記録情報を読み出してＬＥＤの点灯パターンで表示する。したがって、この点灯パターンを解読することによってトラブル発生時のマシンの状況を的確に追跡でき、対策を極めた容易にたてられるようになり、遊戯機の信頼性を著しく向上させることができる。
【００６７】
なお、本発明の操作部はハンドルに限定されない。レバーであってよい。操作部の発電を生じさせる動作は、必ずしも回転動作に限定されない。一定角度範囲を往復する回動動作であってもよいし、また往復動作であってもよい。さらに、回転動作の場合も回転数には限定されない。１回の回転であっても、その回転による発電機の発電によって目標電圧まで充電できればよい。
【００６８】
また、本発明の遊戯機は、景品払い出し方式の自販機に限定されるものではなく、景品払い出し方式のゲーム機、物品払い出しの玩具などに好適に実施できる。
【００６９】
【発明の効果】
以上述べたように、本発明によれば、従来の発電式の遊戯機が抱える現状を打破して、発電式であることの表示効果などの各種のメリットをそのまま享受でき、操作部への手動操作により発電した所定値電力の範囲内で景品払い出しゲームなどの必要な処理を賄うように動作管理して、景品などの物品の払い出しを自動的に行うことができ、動作の安定した信頼性の高い、幼児などにも操作し易い遊戯機を提供することができる。
【００７０】
また、複数種類のゲームを１台の遊戯機の筐体で選択的に実行できるので、筐体の汎用性も高まり、製造コスト的にも有利になる。
【００７１】
さらに、１台の遊戯機の筐体をゲーム機としても、また自販機としても利用できるので、また筐体の汎用性や市場のニーズに対する即応性が高まる。
【図面の簡単な説明】
【図１】本発明の第１の実施形態に関わる遊戯機としての自販機の概観斜視図である。
【図２】ゲームユニットの着脱自在な構造を説明する概略斜視図である。
【図３】表示盤面の絵柄の例を示す図である。
【図４】表示盤面の絵柄の例を示す図である。
【図５】表示盤面の絵柄の例を示す図である。
【図６】表示盤面の絵柄の例を示す図である。
【図７】ハンドルから発電機に至る機械要素の結合関係の概要を説明する図である。
【図８】自販機の電気系統の概要を示す機能ブロック図である。
【図９】表示盤面を中心にした、ＬＥＤの配置例を示す図である。
【図１０】本発明の時間管理の原理を説明する概略フローチャートである。
【図１１】充電電力の消費具合を示すための残量電気量の変化に対するシミュレーション例を示グラフである。
【図１２】より詳細なルーレットゲームの処理例を部分的に示すフローチャートである。
【図１３】より詳細なルーレットゲームの処理例を部分的に示すフローチャートである。
【図１４】より詳細なルーレットゲームの処理例を部分的に示すフローチャートである。
【図１５】より詳細なルーレットゲームの処理例を部分的に示すフローチャートである。
【図１６】より詳細なルーレットゲームの処理例を部分的に示すフローチャートである。
【図１７】より詳細なルーレットゲームの処理例を部分的に示すフローチャートである。
【図１８】より詳細なルーレットゲームの処理例を部分的に示すフローチャートである。
【図１９】ルーレットゲーム形自販機の別の例に係る自販機正面図である。
【図２０】同自販機の左側面図である。
【図２１】同自販機の右側面図である。
【図２２】同自販機の平面図及び底面図である。
【図２３】同自販機の底面図である。
【図２４】同自販機の背面図である。
【図２５】第２の実施形態に係る自販機とゲーム機との切換え機構を示す遊戯機の部分斜視図である。
【図２６】自販機とゲーム機との切換えに伴う表示の切換え例を２種類示す図である。
【図２７】第３の実施形態に係る遊戯機の稼動状況を書き換え記録するための回路構成を示すブロック図である。
【符号の説明】
１  ルーレットゲーム形自販機（遊戯機）
１１  筐体
１１Ｕ、１１Ｌ  上側ハウジング、下側ハウジング
１３  ゲームユニット
１４ａ，１４ｂ  コネクタ
２２  ハンドル（操作部）
２３  アタックボタン（ストップボタン）
２８  景品払い出し口
３２  発電機
３３  回路ボード
３４ａ，３４ｂ  コンデンサ（充電手段）
３５  ＣＰＵ（制御手段）
４３  充電回路（充電手段）
４５  ＲＯＭ
５２  排出センサ
５４  スイッチング回路
５５  音声ＩＣ
６１  ７セグ群
６２  ＬＥＤ群
６３  スピーカ
６６  排出モータ
８１  自販機（ゲーム機）
８２ａ  前面カバーの窓
８３  手動切換え器
８３ａ  レバー
８３ｂ  表示盤面
９１  リードライト回路
９２  メモリ
９３  スイッチ
【図１】
0003947945.tif 000002
【図２】
0003947945.tif 000003
【図３】
0003947945.tif 000004
【図４】
0003947945.tif 000005
【図５】
0003947945.tif 000006
【図６】
0003947945.tif 000007
【図７】
0003947945.tif 000008
【図８】
0003947945.tif 000009
【図９】
0003947945.tif 000010
【図１０】
0003947945.tif 000011
【図１１】
0003947945.tif 000012
【図１２】
0003947945.tif 000013
【図１３】
0003947945.tif 000014
【図１４】
0003947945.tif 000015
【図１５】
0003947945.tif 000016
【図１６】
0003947945.tif 000017
【図１７】
0003947945.tif 000018
【図１８】
0003947945.tif 000019
【図１９】
0003947945.tif 000020
【図２０】
0003947945.tif 000021
【図２１】
0003947945.tif 000022
【図２２】
0003947945.tif 000023
【図２３】
0003947945.tif 000024
【図２４】
0003947945.tif 000025
【図２５】
0003947945.tif 000026
【図２６】
0003947945.tif 000027
【図２７】
0003947945.tif 000028